(57)【要約】【課題】  所定の経路に沿って単片シートを１枚づつ確実に供給することのできるフィード装置。【解決手段】  所定の回転軸線（１ａ）を中心として回転するフィードローラー（１）と、フィードローラーとの間に単片シート（１０）の厚さに応じた所定の間隙が初期的に形成されるように配置された調整ローラー（２）とを備えている。調整ローラーは、フィードローラーと調整ローラーとの間に送り込まれた単片シートの通過に伴う回転に応じて所定の間隙が所定の最小間隙まで小さくなるように偏心支持されている。フィードローラーと調整ローラーとの間に送り込まれた単片シートをフィードローラーとの間で挟んで単片シートを押接する摩擦面（６ａ）を有する摩擦部材（６）をさらに備えている。【選択図】  図１
2005132582.tif 000002
【特許請求の範囲】
【請求項１】
単片シートを所定の経路に沿って１枚づつ供給するフィード装置において、
所定の回転軸線を中心として回転するフィードローラーと、
前記フィードローラーとの間に前記単片シートの厚さに応じた所定の間隙が形成されるように配置された固定ローラーと、
前記フィードローラーと前記固定ローラーとの間に送り込まれた単片シートを前記フィードローラーとの間で挟んで前記単片シートを押接する摩擦面を有する摩擦部材とを備えていることを特徴とするフィード装置。
【請求項２】
単片シートを所定の経路に沿って１枚づつ供給するフィード装置において、
所定の回転軸線を中心として回転するフィードローラーと、
前記フィードローラーとの間に前記単片シートの厚さに応じた所定の間隙が初期的に形成されるように配置された調整ローラーとを備え、
前記調整ローラーは、前記フィードローラーと前記調整ローラーとの間に送り込まれた単片シートの通過に伴う回転に応じて前記所定の間隙が所定の最小間隙まで小さくなるように偏心支持されていることを特徴とするフィード装置。
【請求項３】
前記フィードローラーと前記調整ローラーとの間に送り込まれた単片シートを前記フィードローラーとの間で挟んで前記単片シートを押接する摩擦面を有する摩擦部材をさらに備えていることを特徴とする請求項２に記載のフィード装置。
【請求項４】
前記フィードローラーと前記固定ローラーとの間または前記フィードローラーと前記調整ローラーとの間に１枚の単片シートを順次送り込むためのピックアップローラーをさらに備えていることを特徴とする請求項１乃至３のいずれか１項に記載のフィード装置。
【発明の詳細な説明】
【技術分野】
【０００１】
本発明は、単片シートのフィード装置に関し、特に単片用紙の処理機において単片用紙を１枚づつ所定の経路に沿って供給する装置に関するものである。
【背景技術】
【０００２】
従来、単片用紙を１枚づつ順次処理する機械が知られている。この種の処理機械には、たとえば鉛直方向に積み重ねられた多数の単片用紙から単片用紙を１枚づつ所定の経路に沿って供給するフィード装置が組み込まれている。
【０００３】
従来のフィード装置では、図３に示すように、所定の回転軸線を中心として回転するフィードローラー３１と固定ローラー３２との間に単片用紙３３の厚さｄに応じた所定の間隙Ｄ（不図示）が形成されるように構成されている（たとえば、特許文献１を参照）。一般に、間隙Ｄは、たとえばｄよりも大きく且つ２ｄよりも小さくなるように調整される。
【０００４】
また、別の形態を有する従来のフィード装置は、図４に示すように、所定の回転軸線を中心として回転するフィードローラー４１と、たとえばゴムシート面からなる摩擦面４２ａを有する摩擦部材４２とを備えている。そして、フィード装置に送り込まれた単片用紙４３に摩擦部材４２の摩擦面４２ａを押接させてフィードローラー４１との間に挟み込み、フィードローラー４１の送り作用により単片用紙４３を所定の経路に沿って送り出す。
【０００５】
【特許文献１】特許第３３１２３６８号公報
【発明の開示】
【発明が解決しようとする課題】
【０００６】
図３や図４に示すような従来のフィード装置では、たとえば静電気や用紙の粘着性などに起因して偶発的に２枚以上の単片用紙が同時に送り込まれると、単片用紙を１枚づつ所定の経路に沿って送り出すことができない現象、すなわち互いに重なり合った状態で２枚の単片用紙を送り出すダブルフィード現象や、単片用紙を全く送り出すことのできない現象などが発生し易かった。
【０００７】
本発明は、前述の課題に鑑みてなされたものであり、所定の経路に沿って単片シートを１枚づつ確実に供給することのできるフィード装置を提供することを目的とする。
【課題を解決するための手段】
【０００８】
前記課題を解決するために、本発明の第１形態では、単片シートを所定の経路に沿って１枚づつ供給するフィード装置において、
所定の回転軸線を中心として回転するフィードローラーと、
前記フィードローラーとの間に前記単片シートの厚さに応じた所定の間隙が形成されるように配置された固定ローラーと、
前記フィードローラーと前記固定ローラーとの間に送り込まれた単片シートを前記フィードローラーとの間で挟んで前記単片シートを押接する摩擦面を有する摩擦部材とを備えていることを特徴とするフィード装置を提供する。
【０００９】
本発明の第２形態では、単片シートを所定の経路に沿って１枚づつ供給するフィード装置において、
所定の回転軸線を中心として回転するフィードローラーと、
前記フィードローラーとの間に前記単片シートの厚さに応じた所定の間隙が初期的に形成されるように配置された調整ローラーとを備え、
前記調整ローラーは、前記フィードローラーと前記調整ローラーとの間に送り込まれた単片シートの通過に伴う回転に応じて前記所定の間隙が所定の最小間隙まで小さくなるように偏心支持されていることを特徴とするフィード装置を提供する。
【００１０】
第２形態の好ましい態様によれば、前記フィードローラーと前記調整ローラーとの間に送り込まれた単片シートを前記フィードローラーとの間で挟んで前記単片シートを押接する摩擦面を有する摩擦部材をさらに備えている。また、第１形態または第２形態では、前記フィードローラーと前記固定ローラーとの間または前記フィードローラーと前記調整ローラーとの間に１枚の単片シートを順次送り込むためのピックアップローラーをさらに備えていることが好ましい。
【発明の効果】
【００１１】
本発明では、摩擦部材の摩擦面による押接作用と調整ローラーの偏心回転作用とにより、フィードローラーと調整ローラーとの間から２枚の単片シートが互いに重なり合った状態で送り出されるダブルフィード現象の発生を良好に抑えることができる。したがって、本発明では、たとえば鉛直方向に積み重ねられた多数の単片シートから単片シートを１枚づつ所定の経路に沿って確実に供給することのできるフィード装置を実現することができる。
【発明を実施するための最良の形態】
【００１２】
本発明の実施形態を、添付図面に基づいて説明する。
図１は、本発明の実施形態にかかるフィード装置の構成を概略的に示す図である。また、図２は、図１のフィード装置における調整ローラーの偏心回転動作を概略的に説明する図である。本実施形態では、鉛直方向に積み重ねられた多数の単片用紙から単片用紙を１枚づつ所定の経路に沿って供給するフィード装置に本発明を適用している。
【００１３】
図１を参照すると、本実施形態にかかるフィード装置は、所定の回転軸線１ａを中心として回転するフィードローラー１と、フィードローラー１との間に所定の間隙Ｄ（不図示）が初期的に形成されるように配置された調整ローラー２と、フィードローラー１と調整ローラー２との間に単片用紙１０を１枚づつ順次送り込むためのピックアップローラー３とを備えている。ピックアップローラー３は、所定の回転軸線３ａを中心として回転するように構成され、ベルト４を介してフィードローラー１と連接されている。その結果、ピックアップローラー３は、フィードローラー１と連動して回転する。
【００１４】
一方、処理すべき多数の単片用紙１０は、駆動部５ａの作用により鉛直方向に往復移動するように構成されたステージ５上において鉛直方向に積み重ねられている。したがって、駆動部５ａがステージ５を徐々に上昇させると、いわゆるフリクションタイプのトップフィード方式にしたがって、積み重ねられた多数の単片用紙１０のうち最も上側に位置する単片用紙１０ａがピックアップローラー３のフリクション作用（摩擦作用）を受けて、フィードローラー１と調整ローラー２との間に順次送り込まれる。
【００１５】
また、本実施形態にかかるフィード装置は、フィードローラー１と調整ローラー２との間に送り込まれた単片用紙１０ｂをフィードローラー１との間で挟んで単片用紙１０ｂを押接する摩擦面６ａを有する摩擦部材６をさらに備えている。ここで、摩擦部材６は、たとえばゴムシート面からなる摩擦面６ａを有する。また、調整ローラー２は、図２に示すように、フィードローラー１と調整ローラー２との間に送り込まれた単片用紙１０ｂの通過に伴う回転に応じて所定の間隙Ｄが所定の最小間隙Ｄ’（不図示）まで小さくなるように偏心支持されている。
【００１６】
すなわち、調整ローラー２は、単片用紙１０ｂがフィードローラー１と調整ローラー２との間に送り込まれた時点において図中実線で示すような初期位置を有する。しかしながら、たとえば２枚の単片用紙１０ｂがフィードローラー１と調整ローラー２との間を通過する際、単片用紙１０ｂと調整ローラー２との間の摩擦作用により調整ローラー２が回転し始める。調整ローラー２が回転し始めると、調整ローラー２の偏心支持の影響により、フィードローラー１と調整ローラー２との間隙が徐々に小さくなり、やがて所定の最小間隙Ｄ’まで小さくなった時点で調整ローラー２の回転は停止する。
【００１７】
換言すれば、フィードローラー１と調整ローラー２との間隙が徐々に小さくなって所定の最小間隙Ｄ’に達すると、すなわち図中破線で示すような限界位置に達すると、調整ローラー２の偏心回転が停止するように構成されている。また、調整ローラー２は、単片用紙１０ｂがフィードローラー１と調整ローラー２との間を通過し終わった時点で、図示を省略した付勢手段（適当な形態のばねなど）の作用により、初期位置まで迅速に戻るように構成されている。
【００１８】
ここで、図中実線で示すような初期位置にある調整ローラー２とフィードローラー１との間に形成される所定の初期間隙Ｄは、単片用紙１０ｂの厚さをｄとすると、たとえばｄと２ｄとの間の適当な値に設定されている。一方、図中破線で示すような限界位置にある調整ローラー２とフィードローラー１との間に形成される所定の最小間隙Ｄ’は、たとえばｄよりも大きく且つ初期間隙Ｄよりも小さい適当な値に設定されている。
【００１９】
こうして、本実施形態では、ステージ５上に積み重ねられた多数の単片用紙１０のうち最も上側に位置する単片用紙１０ａが、ピックアップローラー３の作用により、フィードローラー１と調整ローラー２との間に順次送り込まれる。フィードローラー１と調整ローラー２との間に送り込まれた単片用紙１０ｂは、摩擦部材６の摩擦面６ａによりフィードローラー１に対して押接されつつ、フィードローラー１と調整ローラー２との間を通過し、所定の経路に沿って送り出される。
【００２０】
本実施形態では、単片用紙１０ｂが摩擦部材６の摩擦面６ａによりフィードローラー１に対して押接されつつフィードローラー１と調整ローラー２との間を通過する。したがって、たとえば静電気や用紙の粘着性などに起因して偶発的に２枚以上の単片用紙１０ｂがピックアップローラー３から同時に送り込まれても、摩擦面６ａの作用により最も下側の単片用紙１０ｂが他の単片用紙１０ｂから引き離され、他の単片用紙１０ｂだけがフィードローラー１と調整ローラー２との間に入り込む。
【００２１】
また、本実施形態では、たとえば２枚の単片用紙１０ｂがフィードローラー１と調整ローラー２との間に入り込むと、調整ローラー２の偏心回転によりフィードローラー１と調整ローラー２との間隙が徐々に小さくなる。その結果、２枚の単片用紙１０ｂがフィードローラー１と調整ローラー２との間を同時に通過することができなくなり、所定の経路に沿って単片用紙１０ｂが１枚づつ送り出されることになる。
【００２２】
以上のように、本実施形態では、摩擦面６ａによる押接作用と調整ローラー２の偏心回転作用とにより、フィードローラー１と調整ローラー２との間から２枚の単片用紙１０ｂが互いに重なり合った状態で送り出されるダブルフィード現象の発生を良好に抑えることができる。すなわち、本実施形態では、鉛直方向に積み重ねられた多数の単片用紙から単片用紙を１枚づつ所定の経路に沿って確実に供給することのできるフィード装置を実現することができる。
【００２３】
なお、上述の実施形態では、偏心回転する調整ローラー２と、単片用紙１０ｂをフィードローラー１に対して押接する摩擦部材６とを併用している。しかしながら、摩擦部材６の設置を省略しても、調整ローラー２の偏心回転によりフィードローラー１と調整ローラー２との間隙が徐々に小さくなるので、２枚の単片用紙１０ｂがフィードローラー１と調整ローラー２との間を同時に通過することができなくなり、従来技術よりもダブルフィード現象の発生を良好に抑えることができる。
【００２４】
また、上述の実施形態では、偏心回転する調整ローラー２を用いているが、調整ローラー２に代えて、フィードローラー１との間に単片用紙１０ｂの厚さに応じた所定の間隙が形成されるように配置された固定ローラーを用いることもできる。この場合も、２枚の単片用紙１０ｂがフィードローラー１と固定ローラーとの間を同時に通過しにくいように設定され、ピックアップローラー３から２枚以上の単片用紙１０ｂが同時に送り込まれても摩擦面６ａの作用により最も下側の単片用紙１０ｂが他の単片用紙１０ｂから引き離されるので、従来技術よりもダブルフィード現象の発生を良好に抑えることができる。
【００２５】
なお、上述の実施形態では、単片用紙を所定の経路に沿って供給しているが、用紙に限定されることなく、一般に単片シートに対しても本発明を適用することができる。また、上述の実施形態において、調整ローラー２と摩擦部材６との間の機械的な干渉を回避するには、図１の紙面と直交する方向に間隔を隔てて一対の調整ローラー２と一対のフィードローラー１とを設け、この一対の調整ローラー２の間の空間を利用して摩擦部材６を配置する構成が考えられる。さらに、この構成に限定されることなく、調整ローラー２と摩擦部材６との位置関係については本発明の範囲内において様々な変形例が可能である。
【００２６】
また、上述の実施形態では、フリクションタイプのトップフィード方式にしたがってフィードローラー１と調整ローラー２との間に単片用紙１０ｂを順次送り込んでいる。しかしながら、この方式に限定されることなく、たとえばフリクション方式のボトムフィード方式や、エアバキューム方式のトップフィード方式や、エアバキューム方式のボトムフィード方式などを適宜採用することもできる。
【図面の簡単な説明】
【００２７】
【図１】本発明の実施形態にかかるフィード装置の構成を概略的に示す図である。
【図２】図１のフィード装置における調整ローラーの偏心回転動作を概略的に説明する図である。
【図３】従来のフィード装置の要部構成を概略的に示す図である。
【図４】別の形態を有する従来のフィード装置の要部構成を概略的に示す図である。
【符号の説明】
【００２８】
１  フィードローラー
２  調整ローラー
３  ピックアップローラー
４  連動ベルト
５  ステージ
６  摩擦部材
６ａ  摩擦面
１０  単片用紙
【図１】
2005132582.tif 000003
【図２】
2005132582.tif 000004
【図３】
2005132582.tif 000005
【図４】
2005132582.tif 000006